(57)【要約】【課題】高周波モジュールにおいて、送信制御及び受信制御の切り替え時に時間遅れ少なく通信環境の良いアンテナを検出できる状態に切り替える。【解決手段】高周波モジュールは、アンテナ端子側に送信信号を出力する送信信号増幅器と、アンテナ端子から供給された受信信号を増幅する受信信号増幅器と、アンテナ端子を送信信号増幅器の出力及び受信信号増幅器の入力のいずれかに選択的に接続させるスイッチと、送信信号経路上に設けられ、送信信号の信号レベルを検出する方向性結合器と、を備え、送信信号増幅器は、第１制御回路から供給される第１制御信号によって制御され、受信信号増幅器は、第２制御回路から供給される第２制御信号によって制御され、前記スイッチは、第１制御回路から供給されるスイッチ制御信号によって制御され、方向性結合器は、第１制御回路から供給される結合器制御信号によって制御される。【選択図】図１Ａ
2019176452.tif 000002
【特許請求の範囲】
【請求項１】
無線周波数信号を増幅してアンテナ端子側に送信信号を出力する送信信号増幅器と、
前記アンテナ端子から供給された受信信号を増幅する受信信号増幅器と、
前記アンテナ端子を前記送信信号増幅器の出力及び前記受信信号増幅器の入力のいずれかに選択的に接続させるスイッチと、
前記送信信号増幅器及び前記アンテナ端子の間の送信信号経路上に設けられ、前記送信信号の信号レベルを検出する方向性結合器と、を備え、
前記送信信号増幅器は、第１制御回路から供給される第１制御信号によって制御され、
前記受信信号増幅器は、第２制御回路から供給される第２制御信号によって制御され、
前記スイッチは、前記第１制御回路から供給されるスイッチ制御信号によって制御され、
前記方向性結合器は、前記第１制御回路から供給される結合器制御信号によって制御される、高周波モジュール。
【請求項２】
前記方向性結合器は、前記スイッチの前記アンテナ端子側に接続される、請求項１に記載の高周波モジュール。
【請求項３】
前記スイッチは、前記方向性結合器の前記アンテナ端子側に接続される、請求項１に記載の高周波モジュール。
【請求項４】
前記スイッチは、複数のスイッチ素子により構成される、請求項１から３のいずれか一項に記載の高周波モジュール。
【請求項５】
前記スイッチは、単一のスイッチ素子により構成される、請求項１から３のいずれか一項に記載の高周波モジュール。
【請求項６】
前記方向性結合器は、更に前記送信信号の反射波の信号レベルを検出する、双方向性結合器である、請求項１から５のいずれか一項に記載の高周波モジュール。
【請求項７】
信号から所定の周波数帯域外の周波数成分を除去するバンドパスフィルタであって、前記送信信号経路上と、前記受信信号増幅器及び前記アンテナ端子の間の受信信号経路上との、少なくともいずれかに設けられたバンドパスフィルタを更に備える、請求項１から６のいずれか一項に記載の高周波モジュール。
【請求項８】
前記高周波モジュールを、信号から所定の周波数帯域外の周波数成分を除去する外付けのバンドパスフィルタに接続するための端子を備える、請求項１から７のいずれか一項に記載の高周波モジュール。
【請求項９】
前記送信信号増幅器の前記アンテナ端子とは反対側に接続された第２スイッチを更に備える、請求項１から８のいずれか一項に記載の高周波モジュール。
【請求項１０】
前記受信信号増幅器の前記アンテナ端子とは反対側に接続された第３スイッチを更に備える、請求項１から９のいずれか一項に記載の高周波モジュール。
【発明の詳細な説明】
【技術分野】
【０００１】
本発明は、高周波モジュールに関する。
【背景技術】
【０００２】
従来から、送信回路及び受信回路を備え、アンテナとこれら回路のいずれか一方とをスイッチ回路によって切換接続することにより、基地局との間でＲＦ（Radio Frequency）信号を送受信する高周波モジュールが知られている。
【０００３】
例えば、特許文献１には、入力信号を増幅することにより増幅信号を送信信号としてアンテナ側に出力する増幅器と、増幅器及びアンテナの間に形成された送信信号経路に結合された方向性結合器とを備える電力増幅モジュールが開示されている。
【先行技術文献】
【特許文献】
【０００４】
【特許文献１】米国特許出願公開第２００８／０１８０１６９号明細書
【発明の概要】
【発明が解決しようとする課題】
【０００５】
高周波回路では、各通信システムの所定の周波数帯域の送信信号の伝送特性をさらに向上させたり、所定の周波数帯域の送信信号がアンテナでの不整合などにより送信回路側に反射して流入するのを抑制したりすることが求められる。また、通信環境の良いアンテナを精度よくモニタする機能が要求されている。そのため、各通信システムから出力される複数の周波数帯域の送信信号の進行波のみならず、送信信号がアンテナにおいて反射して戻ってくる反射波を精度よく検出する機能が要求されている。
【０００６】
この点、近年のＭＩＭＯ(Ｍｕｌｔｉｐｌｅ  Ｉｎｐｕｔ  ａｎｄ  Ｍｕｌｔｉｐｌｅ  Ｏｕｔｐｕｔ)方式等の通信方式が採用されている通信装置では、複数のアンテナが使用される。複数のアンテナが使用される場合、通信環境の良いアンテナを選択するため、アンテナ方向の状態を確認するモニタ機能が要求されている。そのため、受信制御から送信制御に切り替わるタイミングで時間遅れ少なく通信環境の良いアンテナを検出する要請が大きい。
【０００７】
そこで本発明は、上記した課題に鑑みてなされたものであり、送信制御及び受信制御の切り替え時に時間遅れ少なく通信環境の良いアンテナを検出できる状態に切り替えることのできる高周波モジュールを提供することを目的とする。
【課題を解決するための手段】
【０００８】
かかる目的を達成するため、本発明の一実施形態に係る高周波モジュールは、無線周波数信号を増幅してアンテナ端子側に送信信号を出力する送信信号増幅器と、アンテナ端子から供給された受信信号を増幅する受信信号増幅器と、アンテナ端子を送信信号増幅器の出力及び受信信号増幅器の入力のいずれかに選択的に接続させるスイッチと、送信信号増幅器及びアンテナ端子の間の送信信号経路上に設けられ、送信信号の信号レベルを検出する方向性結合器と、を備え、送信信号増幅器は、第１制御回路から供給される第１制御信号によって制御され、受信信号増幅器は、第２制御回路から供給される第２制御信号によって制御され、スイッチは、第１制御回路から供給されるスイッチ制御信号によって制御され、方向性結合器は、第１制御回路から供給される結合器制御信号によって制御される。
【発明の効果】
【０００９】
本発明によれば、高周波モジュールにおいて、送信制御及び受信制御の切り替え時に時間遅れ少なく通信環境の良いアンテナを検出できる状態に切り替えることができる。
【図面の簡単な説明】
【００１０】
【図１Ａ】本発明の第１実施形態に係る高周波モジュールの構成例を示す図である。
【図１Ｂ】本発明の第１実施形態の第１変形例に係る高周波モジュールの構成例を示す図である。
【図１Ｃ】本発明の第１実施形態の第２変形例に係る高周波モジュールの構成例を示す図である。
【図１Ｄ】本発明の第１実施形態の第３変形例に係る高周波モジュールの構成例を示す図である。
【図１Ｅ】本発明の第１実施形態の第４変形例に係る高周波モジュールの構成例を示す図である。
【図１Ｆ】本発明の第１実施形態の第５変形例に係る高周波モジュールの構成例を示す図である。
【図２】本発明の第２実施形態に係る高周波モジュールの構成例を示す図である。
【図３Ａ】本発明の第３実施形態に係る高周波モジュールの構成例を示す図である。
【図３Ｂ】本発明の第３実施形態の第１変形例に係る高周波モジュールの構成例を示す図である。
【図４】本発明の第４実施形態に係る高周波モジュールの構成例を示す図である。
【図５Ａ】本発明の第５実施形態に係る高周波モジュールの構成例を示す図である。
【図５Ｂ】本発明の第５実施形態の第１変形例に係る高周波モジュールの構成例を示す図である。
【図５Ｃ】本発明の第５実施形態の第２変形例に係る高周波モジュールの構成例を示す図である。
【図５Ｄ】本発明の第５実施形態の第３変形例に係る高周波モジュールの構成例を示す図である。
【図５Ｅ】本発明の第５実施形態の第４変形例に係る高周波モジュールの構成例を示す図である。
【図６】本発明の第６実施形態に係る高周波モジュールの構成例を示す図である。
【図７】参考例に係る高周波モジュールの構成例を示す図である。
【発明を実施するための形態】
【００１１】
以下、本発明の実施の形態について、図面を参照しつつ詳細に説明する。なお、同一の要素には同一の符号を付し、重複する説明を省略する。
【００１２】
（１）第１実施形態
（１−１）第１実施形態
図１は、本発明の第１実施形態に係る高周波モジュールの構成例（高周波モジュール１００Ａ）を示す図である。高周波モジュール１００Ａは、例えば、携帯電話等の移動体通信機において、音声やデータなどの各種信号を基地局との間で送受信するために用いられる。高周波モジュール１００Ａは、無線周波数（ＲＦ：Ｒａｄｉｏ  Ｆｒｅｑｕｅｎｃｙ）の複数の周波数帯域（マルチバンド）に対応している。また、高周波モジュール１００Ａは、３Ｇ（第３世代移動通信システム）、４Ｇ（第４世代移動通信システム）、５Ｇ（第５世代移動通信システム）等の複数の通信方式（マルチモード）に対応している。なお、高周波モジュール１００Ａが対応する通信方式はこれに限られない。また、高周波モジュール１００Ａは、キャリアアグリゲーションに対応していてもよい。
【００１３】
図１に示すとおり、高周波モジュール１００Ａは、フロントエンド部１０１と、フロントエンド部１０２とを備える。高周波モジュール１００Ａは、送信信号を入力するための端子ＴＸと、受信信号を出力するための端子ＲＸと、アンテナに接続するための端子ＡＮＴ（アンテナ端子）とを有する。端子ＴＸと端子ＡＮＴとを結ぶ経路が送信信号経路（第１信号経路）を構成する。端子ＲＸと端子ＡＮＴとを結ぶ経路が受信信号経路（第２信号経路）を構成する。
【００１４】
なお、以下では、送信信号経路上においては、「前段」をアンテナ端子とは反対側とし、「後段」をアンテナ端子側とし、また、受信信号経路上においては、「前段」をアンテナ端子側とし、「後段」をアンテナ端子とは反対側とする。
【００１５】
高周波モジュール１００Ａは、更に例えば、端子Ｖｃｃ１、Ｖｃｃ２、ＳＤＡＴＡ１、ＳＣＬＫ１、ＶＩＯ１、ＶＢＡＴ１、ＳＤＡＴＡ２、ＳＣＬＫ２、ＶＩＯ２、ＶＤＤ＿ＬＮＡ、ＣＰＬ、及びＧＮＤを有する。端子Ｖｃｃ１、Ｖｃｃ２は、増幅部１０に接続され
ており、当該端子には、増幅部１０に供給するための電源電圧が入力される。端子ＶＢＡＴ１は、送信制御ＩＣ２０に接続されており、当該端子には、送信制御ＩＣ２０に供給するための電源電圧が入力される。端子ＶＤＤ＿ＬＮＡは、受信制御部６０に接続されており、当該端子には、受信制御部６０に供給するための電源電圧が入力される。端子ＳＤＡＴＡ１、ＳＣＬＫ１、ＶＩＯ１は、送信制御ＩＣ２０に接続されており、当該端子には、送信制御ＩＣ２０に供給するための制御信号ＳＤＡＴＡ１、ＳＣＬＫ１、ＶＩＯ１が入力される。端子ＳＤＡＴＡ２、ＳＣＬＫ２、ＶＩＯ２は、受信制御部６０に接続されており、当該端子には、受信制御部６０に供給するための制御信号ＳＤＡＴＡ２、ＳＣＬＫ２、ＶＩＯ２が入力される。端子ＣＰＬは、カプラ５０の端子５０Ｓに接続されており、当該端子からは、後述するように、送信信号の進行波又は反射波の検出信号が出力される。端子ＧＮＤは、接地用の端子である。なお、ＳＤＡＴＡ１、ＳＣＬＫ１、ＶＩＯ１、ＳＤＡＴＡ２、ＳＣＬＫ２、ＶＩＯ２は、同一信号が入力されていても良いし、異なっていても良い。
【００１６】
フロントエンド部１０１は、増幅部１０と、送信制御ＩＣ２０と、ＳＰＤＴ（Ｓｉｎｇｌｅ  Ｐｏｌｅ  Ｄｏｕｂｌｅ  Ｔｈｒｏｗ）３０と、ＢＰＦ（バンドパスフィルタ）４０と、カプラ５０とを含む。ＳＰＤＴ３０は増幅部１０の後段（アンテナ端子側）に、ＢＰＦ４０はＳＰＤＴ３０の後段に、カプラ５０はＢＰＦ４０の後段に、それぞれ接続されている。
【００１７】
増幅部１０（送信信号増幅器）は、送信信号経路上に形成されており、端子ＴＸから供給された送信信号の電力を基地局に送信するために必要なレベルまで増幅し、アンテナ側へ増幅信号を出力する。増幅部１０は、複数の増幅器を含んでいてもよい。図１に示す例では、増幅器１０は、初段（ドライバ段）の増幅器１０ａと、後段（パワー段）の増幅器１０ｂとを含む。増幅部１０では、送信制御ブロック２０ａから供給される制御信号Ｓ１に基づいて、バイアスやゲインが制御される。増幅部１０は、例えば、高周波モジュール１００Ａの動作が受信制御のとき（ＬＮＡ６０ｂが動作し、ＳＰＤＴ３０において端子３０ｂ及び３０ｃが接続されているとき）、増幅器１０ａ及び１０ｂへのバイアスの提供を停止してもよい。
【００１８】
送信制御ＩＣ２０は、送信制御ブロック２０ａ（第１制御回路）が形成されたチップである。送信制御ブロック２０ａは、制御信号ＳＣＬＫ1、ＳＣＬＫ1、ＶＩＯ１等に基づいて、増幅部１０、ＳＰＤＴ３０、及びカプラ５０等の送信信号経路を構成する各部に対して、制御信号を同期して供給する。具体的には、送信制御ブロック２０ａは、増幅部１０に制御信号Ｓ１（第１制御信号）を、ＳＰＤＴ３０に制御信号Ｓ２（スイッチ制御信号）を、カプラ５０に制御信号Ｓ３（結合器制御信号）を、それぞれ同期して供給する。
【００１９】
ＳＰＤＴ３０は、１×２の入出力端子を有する高周波スイッチ素子である。具体的には、ＳＰＤＴ３０は、送信信号経路側の端子３０ａ、受信信号経路側の端子３０ｂ、及びアンテナ側の端子３０ｃを有する。ＳＰＤＴ３０は、送信制御ブロック２０ａから供給された制御信号Ｓ２に基づいて、アンテナ側の端子３０ｃの接続を、送信信号経路側の端子３０ａと、受信信号経路側の端子３０ｂとの間で、切り替える。すなわち、端子３０ａが端子３０ｃに接続されている場合は、端子ＡＮＴから端子ＴＸまでの送信信号経路が形成され、端子３０ｂが端子３０ｃに接続されている場合は、端子ＡＮＴから端子ＲＸまでの受信信号経路が形成される。なお、ＳＰＤＴ３０は、動作しない端子が終端されるように構成されてもよい。
【００２０】
ＢＰＦ４０は、送信信号又は受信信号からスプリアスや帯域外妨害波を除去することにより、所定の帯域の周波数を通過させるフィルタ回路である。ＢＰＦ４０が通過させる当該所定の帯域の周波数は、通信方式に応じて任意にフィルタ回路の回路構成を変更することで周波数特性を設定することができる。すなわち、フィルタ部品を交換することである。
【００２１】
カプラ５０は、信号経路に電磁界的に結合された双方向性結合器であり、アンテナへと伝播する進行波の電力レベルと、アンテナから伝播する反射波の電力レベルとを検出する。カプラ５０は、進行波の検出信号を出力する端子５０Ｆと、反射波の検出信号を出力する端子５０Ｒと、端子５０Ｆ及び５０Ｒのいずれかと選択的に接続される端子５０Ｓとを有する。カプラ５０は、送信制御ブロック２０ａから供給される制御信号Ｓ３に基づいて、端子５０Ｓと、端子５０Ｆ及び５０Ｒのいずれかとの接続を切り替える。端子５０Ｓは、高周波モジュール１００Ａが有する端子ＣＰＬに接続されている。端子ＣＰＬは、例えば高周波モジュール１００Ａの前段（アンテナとは反対側）に設けられたＲＦＩＣに接続され、進行波又は反射波の検出信号が当該ＲＦＩＣに供給される。
【００２２】
フロントエンド部１０２は、受信制御部６０を含む。受信制御部６０は、受信制御ブロック６０ａ及びＬＮＡ（低雑音増幅器）６０ｂが形成されたチップである。
【００２３】
受信制御ブロック６０ａ（第２制御回路）は、制御信号ＳＤＡＴＡ２、ＳＣＬＫ２、ＶＩＯ２等に基づいて、ＬＮＡ６０ｂに制御信号を供給する。
【００２４】
ＬＮＡ６０ｂ（受信信号増幅器）は、受信信号経路上に形成されており、受信制御ＩＣ６０ａから供給される制御信号に基づいて、端子ＡＮＴを経由して供給された受信信号を増幅し、アンテナとは反対側に設けられた不図示のＲＦＩＣ等へ増幅信号を出力する。
【００２５】
本発明の第１実施形態に係る高周波モジュール１００Ａでは、増幅部１０、ＳＰＤＴ３０、及びカプラ５０はそれぞれ、送信制御ブロック２０ａから同期して供給される制御信号Ｓ１、Ｓ２、及びＳ３に基づいて動作する。したがって、送信制御及び受信制御の切り替え時に時間遅れ少なく通信環境の良いアンテナの品質を検出できる状態に切り替えることが可能となる。
【００２６】
（１−２）第１実施形態の第１変形例
図１Ｂは、本発明の第１実施形態の第１変形例に係る高周波モジュールの構成例（高周波モジュール１００Ｂ）を示す図である。以下では、高周波モジュール１００Ｂの構成のうち、高周波モジュール１００Ａの構成と異なる部分について説明し、高周波モジュール１００Ａの構成と同様の部分については適宜説明を省略する。
【００２７】
図１Ｂに示すとおり、高周波モジュール１００Ｂでは、ＳＰＤＴ３０は増幅部１０の後段に、カプラ５０はＳＰＤＴ３０の後段に、ＢＰＦ４０はカプラ５０の後段に、それぞれ接続されている。すなわち、ＢＰＦ４０は、カプラ５０及びＬＮＡ６０ｂよりアンテナ端子側に配置されている。これにより、アンテナ端子から高周波モジュール１００Ｂ内のカプラ５０及びＬＮＡ６０ｂへ不要な信号が流入することを抑制できる。
【００２８】
（１−３）第１実施形態の第２変形例
図１Ｃは、本発明の第１実施形態の第２変形例に係る高周波モジュールの構成例（高周波モジュール１００Ｃ）を示す図である。以下では、高周波モジュール１００Ｃの構成のうち、高周波モジュール１００Ａの構成と異なる部分について説明し、高周波モジュール１００Ａの構成と同様の部分については適宜説明を省略する。
【００２９】
一般にＲＦＩＣは、高周波モジュールの増幅部による出力信号の歪みを補償するように高周波モジュールに供給する出力信号を調整する、ＤＰＤ（デジタルプリディストーション）を行うことが可能である。この点、図１Ｃに示すとおり、高周波モジュール１００Ｃでは、カプラ５０は増幅部１０の後段に、ＳＰＤＴ３０はカプラ５０の後段に、ＢＰＦ４０はＳＰＤＴ３０の後段に、それぞれ接続されている。これにより、カプラ５０には増幅部１０の出力信号が直接供給されるため、カプラ５０は増幅部１０の出力信号を直接検出し、検出信号を端子ＣＰＬから不図示のＲＦＩＣに供給することができる。そして、ＲＦＩＣは、当該直接的な検出信号に基づいて、より精度高くＤＰＤを行うことが可能となる。
【００３０】
また、上記構成により、ＳＰＤＴ３０及びＢＰＦ４０がカプラ５０に対してアンテナ端子側に配置されるため、カプラ５０は、ＳＰＤＴ３０、ＢＰＦ４０、及びアンテナ端子側の整合状態を検出することが可能となる。
【００３１】
なお、カプラ５０は、進行波のみを検出する方向性結合器であってもよい。これにより、増幅部１０及びアンテナ端子の間と、ＬＮＡ６０ｂ及びアンテナ端子の間との損失を低減することができ、また、ＬＮＡ６０ｂの受信感度が向上する。更に、カプラ５０の部品点数が削減され、基板パターンやセラミック部品等でカプラ５０を構成することが可能となるため、高周波モジュール１００Ｃの製造コストを削減することができる。
【００３２】
（１−４）第１実施形態の第３変形例
図１Ｄは、本発明の第１実施形態の第３変形例に係る高周波モジュールの構成例（高周波モジュール１００Ｄ）を示す図である。以下では、高周波モジュール１００Ｄの構成のうち、高周波モジュール１００Ａの構成と異なる部分について説明し、高周波モジュール１００Ａの構成と同様の部分については適宜説明を省略する。
【００３３】
図１Ｄに示すとおり、高周波モジュール１００Ｄは、２つのアンテナ端子ＡＮＴ１及びＡＮＴ２と、受信信号を出力する２つの端子ＲＸ１及びＲＸ２とを有する。また、高周波モジュール１００Ｄは、ＤＰＤＴ（Ｄｏｕｂｌｅ  Ｐｏｌｅ  Ｄｏｕｂｌｅ  Ｔｈｒｏｗ）３１及びＬＮＡ６０ｃを更に備える。ここで、ＤＰＤＴ３１は、２×２の入出力端子を有する高周波スイッチ素子であり、カプラ５０の後段に接続されている。ＤＰＤＴ３１は、カプラ５０に接続された端子３１ａと、ＬＮＡ６０ｃに接続された端子３１ｂと、端子ＡＮＴ１に接続された端子３１ｃと、端子ＡＮＴ２に接続された端子３１ｄとを有する。
【００３４】
増幅部１０は、ＳＰＤＴ３０に対して制御信号Ｓ２１を、ＤＰＤＴ３１に対して制御信号Ｓ２２をそれぞれ供給する。高周波モジュール１００Ｄでは、ＳＰＤＴ３０及びＤＰＤＴ３１が一体として、アンテナ端子ＡＮＴ１及びＡＮＴ２それぞれを送信信号経路及び受信信号経路に選択的に接続させるスイッチを構成する。
【００３５】
高周波モジュール１００Ｄでは、ＤＰＤＴ３１の端子３１ｂとＬＮＡ６０ｃとを経由する経路として、カプラ５０を経由しない受信信号経路を構成することが可能となる。また、高周波モジュール１００Ｄは２つのアンテナ端子ＡＮＴ１及びＡＮＴ２を有するため、これら２つのアンテナ端子のうちから受信感度が高い方を選択して受信信号経路に接続することが可能となる。また、高周波モジュール１００Ｄは２つのアンテナ端子ＡＮＴ１及びＡＮＴ２を有するため、例えば、ＭＩＭＯ等の２つの信号を同時に受信する通信方式に対応することが可能となる。
【００３６】
なお、高周波モジュール１００Ｄは、受信信号経路上におけるＬＮＡ６０ｃの前段及びＤＰＤＴ３１の後段に配置されたＢＰＦを更に備えてもよい。これにより、カプラ５０を経由しない受信信号経路においても、受信信号からスプリアスや帯域外妨害波を除去することにより、所定の帯域の周波数を通過させることが可能となる。
【００３７】
（１−５）第１実施形態の第４変形例
図１Ｅは、本発明の第１実施形態の第４変形例に係る高周波モジュールの構成例（高周波モジュール１００Ｅ）を示す図である。以下では、高周波モジュール１００Ｅの構成のうち、高周波モジュール１００Ｄの構成と異なる部分について説明し、高周波モジュール１００Ｄの構成と同様の部分については適宜説明を省略する。
【００３８】
図１Ｅに示すとおり、高周波モジュール１００Ｅは、端子ｅＬＡＡを有する。端子ｅＬＡＡは、通信方式ｅＬＡＡ（ｅｎｈａｎｃｅｄ  Ｌｉｃｅｎｓｅｄ  Ａｓｓｉｓｔｅｄ  Ａｃｃｅｓｓ）のための他の高周波モジュール（不図示）に接続するための端子である。また、高周波モジュール１００Ｅは、ＤＰＤＴ３１に代えて３ＰＤＴ３２を備える。ここで、３ＰＤＴ３２は、３×２の入出力端子を有する高周波スイッチ素子である。具体的には、３ＰＤＴ３２は、カプラ５０に接続された端子３２ａと、ＬＮＡ６０ｃに接続された端子３２ｂと、端子ｅＬＡＡに接続された端子３２ｃと、端子ＡＮＴ１に接続された端子３２ｄと、端子ＡＮＴ２に接続された端子３２ｅとを有する。これにより、当該他の高周波モジュールと高周波モジュール１００Ｅのアンテナ端子ＡＮＴ１及びＡＮＴ２を供給することができる。
【００３９】
（１−６）第１実施形態の第５変形例
図１Ｆは、本発明の第１実施形態の第５変形例に係る高周波モジュールの構成例（高周波モジュール１００Ｆ）を示す図である。以下では、高周波モジュール１００Ｆの構成のうち、高周波モジュール１００Ａの構成と異なる部分について説明し、高周波モジュール１００Ａの構成と同様の部分については適宜説明を省略する。
【００４０】
図１Ｆに示すとおり、高周波モジュール１００Ｆは、カプラ５０に代えて、カプラ５２を備えている。カプラ５２は、副線路を１つのみ有しており、進行波及び反射波を検出することが可能である。カプラ５２は、進行波の検出信号を出力する端子５２Ｆと、反射波の検出信号を出力する端子５２Ｒと、端子５２Ｆ及び５２Ｒのいずれかと選択的に接続される端子５２Ｓとを有する。カプラ５２においては、端子５２Ｓが端子５２Ｆに接続されているときは、端子５２Ｒは終端抵抗Ｚに接続され、端子５２Ｓが端子５２Ｒに接続されているときは、端子５２Ｆは終端抵抗Ｚに接続される。
【００４１】
（２）第２実施形態
図２は、本発明の第２実施形態に係る高周波モジュールの構成例（高周波モジュール２００）を示す図である。以下では、高周波モジュール２００の構成のうち、高周波モジュール１００Ａの構成と異なる部分について説明し、高周波モジュール１００Ａの構成と同様の部分については適宜説明を省略する。
【００４２】
図２に示すとおり、高周波モジュール２００は、ＳＰＤＴ３０に代えて、ＤＰＤＴ３３と、ＳＰＤＴ３４とを更に備える。ＤＰＤＴ３３は増幅部１０の後段に、ＢＰＦ４０はＤＰＤＴ３３の後段に、ＳＰＤＴ３４はＢＰＦ４０の後段に、カプラ５０はＳＰＤＴ３４の後段に、それぞれ接続されている。送信制御ブロック２０ａは、ＤＰＤＴ３１に制御信号Ｓ２１を供給し、ＳＰＤＴ３４に制御信号Ｓ２２を供給する。高周波モジュール２００では、ＤＰＤＴ３３及びＳＰＤＴ３４が一体として、アンテナ端子ＡＮＴ１及びＡＮＴ２それぞれを送信信号経路及び受信信号経路に選択的に接続させるスイッチを構成する。
【００４３】
ＤＰＤＴ３３は、増幅器１０ｂに接続された端子３３ａと、ＬＮＡ６０ｂに接続された端子３３ｂと、ＢＰＦ４０に接続された端子３３ｃと、端子Ａｕｘ１に接続された端子３３ｄとを有する。ＳＰＤＴ３４は、ＢＰＦ４０に接続された端子３４ａと、端子Ａｕｘ２に接続された端子３４ｂと、カプラ５０に接続された端子３４ｃとを有する。また、高周波モジュール２００は、端子Ａｕｘ１及びＡｕｘ２を更に有する。端子Ａｕｘ１及びＡｕｘ２は、外付けのＢＰＦに接続するための端子である。これにより、所望の周波数帯域に応じて、ＢＰＦ４０と外付けのＢＰＦとを選択的に使用することが可能となる。
【００４４】
高周波モジュール２００の端子Ｖｃｃ１及びＶｃｃ２には、エンベロープトラッキング電源７１と、ＤＣＤＣ電源７２とが選択的に接続される。信号の包絡線波形に応じてバイアスを制御するエンベロープトラッキング動作時には、増幅部１０に、端子Ｖｃｃ１及びＶｃｃ２を経由して、エンベロープトラッキング電源７１により電源電圧が供給される。また、信号レベルの平均値に基づいてバイアスを制御するアベレージパワートラッキング動作時には、増幅部１０に、端子Ｖｃｃ１及びＶｃｃ２を経由して、ＤＣＤＣ電源７２により電源電圧が供給される。
【００４５】
（３）第３実施形態
（３−１）第３実施形態
図３Ａは、本発明の第３実施形態に係る高周波モジュールの構成例（高周波モジュール３００）を示す図である。以下では、高周波モジュール３００Ａの構成のうち、高周波モジュール２００の構成と異なる部分について説明し、高周波モジュール２００の構成と同様の部分については適宜説明を省略する。
【００４６】
図３Ａに示すとおり、高周波モジュール３００Ａは、端子Ａｕｘ１及びＡｕｘ２を有しない。また、高周波モジュール３００は、ＢＰＦ４１を更に備える。ＤＰＤＴ３３の端子３３ｄ及びＳＰＤＴ３４の端子３４ｂはそれぞれ、ＢＰＦ４１に接続されている。すなわち、ＢＰＦ４１は、ＢＰＦ４０に対して並列に、ＤＰＤＴ３３の後段且つＳＰＤＴ３４の前段に配置されている。これにより、所望の周波数帯域に応じて、ＢＰＦ４０及びＢＰＦ４１を選択的に使用することが可能となる。
【００４７】
（３−２）第３実施形態の第１変形例
図３Ｂは、本発明の第３実施形態の第１変形例に係る高周波モジュール（高周波モジュール３００Ｂ）を示す図である。以下では、高周波モジュール３００Ｂの構成のうち、高周波モジュール３００Ａの構成と異なる部分について説明し、高周波モジュール３００Ａの構成と同様の部分については適宜説明を省略する。
【００４８】
図３Ｂに示すとおり、高周波モジュール３００Ｂの送信制御ＩＣ２０は、スイッチ２１を含む。スイッチ２１は、増幅器１０ｂ及びＤＰＤＴ３３の端子３３ａの間に接続された端子２１ａと、端子Ｖｃｃ１に接続された端子２１ｂと、端子Ｖｃｃ２に接続された端子２１ｃとを有する。
【００４９】
また、高周波モジュール３００Ｂは、バイパスコンデンサとしてのキャパシタＣ１及びＣ２を備える。キャパシタＣ１は、一端が端子２１ｂ及び端子Ｖｃｃ１の間に接続され、他端が高周波モジュール３００Ｂの接地用端子ＧＮＤに接続されている。また、キャパシタＣ２は、一端が端子２１ｃ及び端子Ｖｃｃ２の間に接続され、他端が高周波モジュール３００Ｂの接地用端子ＧＮＤに接続されている。
【００５０】
高周波モジュール３００Ｂでは、異なる電源（図３Ｂに示す例では、エンベロープトラッキング電源７１及びＤＣＤＣ電源７２）に応じて、異なるバイパスコンデンサを選択することが可能となる。
【００５１】
（４）第４実施形態
図４は、本発明の第４実施形態に係る高周波モジュールの構成例（高周波モジュール４００）を示す図である。以下では、高周波モジュール４００の構成のうち、高周波モジュール１００の構成と異なる部分について説明し、高周波モジュール１００の構成と同様の部分については適宜説明を省略する。
【００５２】
高周波モジュール４００は、送信信号を入力するための２つの端子ＴＸ１及びＴＸ２と、受信信号を出力するための２つの端子ＲＸ１及びＲＸ２とを有する。増幅部１０は、端子ＴＸ１からの送信信号経路（第１送信信号経路）に沿って形成された初段の増幅器１０ａと後段の増幅器１０ｂとを備える。また、増幅部１０は、端子ＴＸ２からの送信信号経路（第２送信信号経路）に沿って形成された初段の増幅器１０ｃと後段の増幅器１０ｄとを備える。また、受信制御部６０は、端子ＲＸ１からの受信信号経路（第１受信信号経路）に沿って形成されたＬＮＡ６０ｂと、端子ＲＸ２からの受信信号経路（第２受信信号経路）に沿って形成されたＬＮＡ６０ｃとを備える。
【００５３】
高周波モジュール４００は、ＳＰＤＴ３５と、ＤＰＤＴ３３と、ＳＰ３Ｔ３６と、ＢＰＦ４０、４１、４２とを備える。ＳＰ３Ｔ（Ｓｉｎｇｌｅ  Ｐｏｌｅ  Ｔｈｒｅｅ  Ｔｈｒｏｗ）は、１×３の入出力端子を有する高周波スイッチ素子である。ＳＰＤＴ３５及びＤＰＤＴ３３はそれぞれ、増幅部１０及び受信制御部６０の後段に接続されている。ＢＰＦ４２はＳＰＤＴ３５の後段に、ＢＰＦ４０、４１はそれぞれＤＰＤＴ３３の後段に接続されている。ＳＰ３Ｔ３６は、ＢＰＦ４０、４１、４２の後段に接続されている。カプラ５０は、ＳＰ３Ｔ３６の後段に接続されている。
【００５４】
送信制御ブロック２０ａは、制御信号Ｓ２１をＳＰＤＴ３５に、制御信号Ｓ２２をＤＰＤＴ３３に、制御信号Ｓ２３をＳＰ３Ｔ３６に、それぞれ供給する。高周波モジュール４００では、ＳＰＤＴ３５と、ＤＰＤＴ３３と、ＳＰ３Ｔ３６とが一体として、アンテナ端子ＡＮＴ１及びＡＮＴ２それぞれを送信信号経路及び受信信号経路に選択的に接続させるスイッチを構成する。
【００５５】
（５）第５実施形態
（５−１）第５実施形態
図５Ａは、本発明の第５実施形態に係る高周波モジュールの構成例（高周波モジュール５００Ａ）を示す図である。以下では、高周波モジュール５００Ａの構成のうち、高周波モジュール４００の構成と異なる部分について説明し、高周波モジュール４００の構成と同様の部分については適宜説明を省略する。
【００５６】
高周波モジュール５００Ａは、アンテナ端子ＡＮＴ１及びＡＮＴ２と、端子ＣＰＬ１及びＣＰＬ２とを有する。また、高周波モジュール５００Ａは、ＳＰ３Ｔ３６に代えてＤＰ３Ｔ３７を備える。ＤＰ３Ｔ（Ｄｏｕｂｌｅ  Ｐｏｌｅ  Ｔｈｒｅｅ  Ｔｈｒｏｗ）は、２×３の入出力端子を有する高周波スイッチ素子である。
【００５７】
ＤＰ３Ｔ３７は、ＢＰＦ４２に接続された端子３７ａと、ＢＰＦ４０に接続された端子３７ｂと、ＢＰＦ４１に接続された端子３７ｃと、カプラ５１に接続された端子３７ｄと、カプラ５０に接続された端子３７ｅとを有する。
【００５８】
高周波モジュール５００Ａは、更にカプラ５１を備える。カプラ５１は、ＤＰ３Ｔ３７の後段に接続されている。カプラ５１は、進行波の検出信号を出力する端子５１Ｆと、反射波の検出信号を出力する端子５１Ｒと、端子５１Ｆ及び５１Ｒのいずれかと選択的に接続される端子５１Ｓとを有する。
【００５９】
送信制御ブロック２０ａは、増幅部１０に制御信号Ｓ１を、ＳＰＤＴ３５に制御信号Ｓ２１を、ＤＰＤＴ３３に制御信号Ｓ２２を、ＤＰ３Ｔ３７に制御信号Ｓ２３を、カプラ５０に制御信号Ｓ３１を、カプラ５１に制御信号Ｓ３２を、それぞれ供給する。
【００６０】
高周波モジュール５００Ａでは、送信信号経路及び受信信号経路が２系統ずつ構成されているため、２つの周波数帯域について同時動作を行うことが可能となる
【００６１】
（５−２）第５実施形態の第１変形例
図５Ｂは、本発明の第５実施形態の第１変形例に係る高周波モジュールの構成例（高周波モジュール５００Ｂ）を示す図である。以下では、高周波モジュール５００Ｂの構成のうち、高周波モジュール５００Ａの構成と異なる部分について説明し、高周波モジュール５００Ａの構成と同様の部分については適宜説明を省略する。
【００６２】
高周波モジュール５００Ｂは、端子Ａｕｘ１、Ａｕｘ２、Ａｕｘ３、Ａｕｘ４を有する。高周波モジュール５００Ｂは、ＳＰＤＴ３５に代えてＤＰＤＴ３８を、ＤＰ３Ｔ３７に代えてＤＰ４Ｔ３９を備える。ＤＰ４Ｔ（Ｄｏｕｂｌｅ  Ｐｏｌｅ  Ｆｏｕｒ  Ｔｈｒｏｗ）は、２×４の入出力端子を有する高周波スイッチ素子である。また、高周波モジュール５００Ｂは、ＢＰＦ４１を備えない。
【００６３】
ＤＰＤＴ３８は、増幅器１０ｂに接続された端子３８ａと、ＬＮＡ６０ｃに接続された端子３８ｂと、ＢＰＦ４２に接続された端子３８ｃと、端子Ａｕｘ１に接続された端子３８ｄとを有する。ＤＰＤＴ３３の端子３３ｄは、端子Ａｕｘ３に接続されている。ＤＰ４Ｔ３９は、端子Ａｕｘ２に接続された端子３９ａと、ＢＰＦ４２に接続された端子３９ｂと、ＢＰＦ４０に接続された端子３９ｃと、端子Ａｕｘ４に接続された端子３９ｄと、カプラ５１に接続された端子３９ｅと、カプラ５０に接続された端子３９ｆとを有する。
【００６４】
端子Ａｕｘ１及びＡｕｘ２は、外付けのＢＰＦに接続するための端子である。同様に、端子Ａｕｘ３及びＡｕｘ４は、外付けのＢＰＦに接続するための端子である。これにより、高周波モジュール５００Ｂでは、所望の周波数帯域に応じて、ＢＰＦ４０、４２と、端子Ａｕｘ１及びＡｕｘ２に接続された外付けのＢＰＦと、端子Ａｕｘ３及びＡｕｘ４に接続された外付けのＢＰＦとを選択的に使用することが可能となる。
【００６５】
（５−３）第５実施形態の第２変形例
図５Ｃは、本発明の第５実施形態の第２変形例に係る高周波モジュールの構成例（高周波モジュール５００Ｃ）を示す図である。以下では、高周波モジュール５００Ｃの構成のうち、高周波モジュール５００Ｂの構成と異なる部分について説明し、高周波モジュール５００Ｂの構成と同様の部分については適宜説明を省略する。
【００６６】
高周波モジュール５００Ｃは、受信信号を出力するための端子ＲＸ３を更に有する。端子ＲＸ３からの受信信号経路を第３受信信号経路とする。また、高周波モジュール５００Ｃは、ＤＰＤＴ３３に代えて３ＰＤＴ８０を備える。また、高周波モジュール５００Ｃの受信制御部６０は、ＬＮＡ６０ｄを更に備える。
【００６７】
また、高周波モジュール５００Ｃは、ｎＰｎＴ８１を備える。ｎＰｎＴ（ｎ  Ｐｏｌｅ  ｎ  Ｔｈｒｏｗ）は、ｎ×ｎ（ただし、ｎは自然数）の入出力端子を有する高周波スイッチ素子である。図５ｃでは、便宜的に、ｎＰｎＴ８１の端子８１ａ、８１ｂ、８１ｃ、８１ｄのみを示している。送信制御ブロック２０ａは、ｎＰｎＴ８１に制御信号Ｓ２４を供給する。
【００６８】
３ＰＤＴ８０は、増幅器１０ｄに接続された端子８０ａと、ＬＮＡ６０ｂに接続された端子８０ｂと、ＬＮＡ６０ｄに接続された端子８０ｃと、ＢＰＦ４０に接続された端子８０ｄと、端子Ａｕｘ３に接続された端子８０ｅとを有する。これにより、高周波モジュール５００Ｃでは、所望の周波数帯域に応じた３系統の受信信号経路が構成されるため、受信信号に対する感度が向上する。また、所望の周波数に応じたＬＮＡのゲイン制御も可能となる。
【００６９】
（５−４）第５実施形態の第３変形例
図５Ｄは、本発明の第５実施形態の第３変形例に係る高周波モジュールの構成例（高周波モジュール５００Ｄ）を示す図である。以下では、高周波モジュール５００Ｄの構成のうち、高周波モジュール５００Ａの構成と異なる部分について説明し、高周波モジュール５００Ａの構成と同様の部分については適宜説明を省略する。
【００７０】
高周波モジュール５００Ｄは、ＤＰ３Ｔ３７を備えず、また、ＤＰＤＴ３３に代えてＳＰＤＴ８２を備える。カプラ５０はＳＰＤＴ３５の後段に、カプラ５１はＳＰＤＴ８２の後段に、それぞれ接続されている。ＳＰＤＴ８２は、増幅器１０ｄに接続された端子８２ａと、ＬＮＡ６０ｂに接続された端子８２ｂと、カプラ５０に接続された端子８２ｃとを有する。
【００７１】
高周波モジュール５００Ｄは、ＢＰＦ４０、４１、４２に代えて、所定の周波数より高い周波数と低い周波数とを分離するデュプレクサ９０を備える。また、高周波モジュール５００Ｄでは、端子ＴＸ１からの第１送信信号経路上にはカプラ５１が設けられ、端子ＴＸ２からの第２送信信号経路上にはカプラ５０が設けられている。これにより、端末の１つのアンテナを２系統の送受信経路間で共有することが可能となる。
【００７２】
（５−５）第５実施形態の第４変形例
図５Ｅは、本発明の第５実施形態の第４変形例に係る高周波モジュールの構成例（高周波モジュール５００Ｅ）を示す図である。以下では、高周波モジュール５００Ｅの構成のうち、高周波モジュール５００Ｄの構成と異なる部分について説明し、高周波モジュール５００Ｄの構成と同様の部分については適宜説明を省略する。
【００７３】
高周波モジュール５００Ｅでは、デュプレクサ９０は、ＳＰＤＴ３５及びＳＰＤＴ８２それぞれの後段に接続されている。具体的には、デュプレクサ９０は、ＳＰＤＴ３５の端子３５ｃ及びＳＰＤＴ８２の端子８２ｃに接続されている。また、高周波モジュール５００Ｅでは、カプラ５０は、デュプレクサ９０の後段に接続されている。また、高周波モジュール５００Ｅは、カプラ５１を備えない。なお、デュプレクサ９０は、ＳＡＷでもあっても良いし、ＢＡＷでもあってもよいし、ＬＣフィルタであっても良い。
【００７４】
高周波モジュール５００Ｅでは、カプラ５０がアンテナ端子ＡＮＴの前段に接続されているため、端末の１つのアンテナを２系統の送受信経路間で共有することが可能となる。また、ＲＦ系統が１つとなり、カプラの数も１つで充分となるため、モジュールの小型化に寄与する。
【００７５】
（６）第６実施形態
図６は、本発明の第６実施形態に係る高周波モジュールの構成例（高周波モジュール６００）を示す図である。以下では、高周波モジュール６００の構成のうち、高周波モジュール１００Ａの構成と異なる部分について説明し、高周波モジュール１００Ａの構成と同様の部分については適宜説明を省略する。
【００７６】
高周波モジュール６００は、送信信号を入力するための２つの端子ＴＸ１及びＴＸ２と、受信信号を出力するための２つの端子ＲＸ１及びＲＸ２とを有する。端子ＴＸ１及び端子ＲＸ１は、ＲＦＩＣ１０００に接続され、端子ＴＸ２及び端子ＲＸ２は、ＲＦＩＣ２０００に接続されている。ここで、ＲＦＩＣ１０００及び２０００はそれぞれ、異なる通信方式に用いられるＲＦＩＣである。ＲＦＩＣ１０００は、端子ＴＸ１に送信信号を供給し、端子ＲＸ１から受信信号の供給を受ける。ＲＦＩＣ２０００は、端子ＴＸ２に送信信号を供給し、端子ＲＸ２から受信信号の供給を受ける。
【００７７】
高周波モジュール６００は、ＳＰＤＴ８３（第２スイッチ）及びＳＰＤＴ８４（第３スイッチ）を備える。ＳＰＤＴ８３の端子８３ａは端子ＴＸ１に、端子８３ｂは端子ＴＸ２に、端子８３ｃは増幅部１０の増幅器１０ａに、それぞれ接続されている。ＳＰＤＴ８４の端子８４ａは端子ＲＸ１に、端子８４ｂは端子ＲＸ２に、端子８４ｃは受信制御部６０のＬＮＡ６０ｂに、それぞれ接続されている。
【００７８】
ＳＰＤＴ８３は、増幅部１０の前段に接続され、増幅部１０を端子ＴＸ１及びＴＸ２に選択的に接続させる。ＳＰＤＴ８４は、受信制御部６０の前段に接続され、受信制御部６０のＬＮＡ６０ｂを端子ＲＸ１及びＲＸ２に選択的に接続させる。これにより、高周波モジュール６００では、異なる複数の通信方式を切り替えることが可能となる。
【００７９】
（７）参考例
図７は、参考例に係る高周波モジュールの構成例（高周波モジュール７００）を示す図である。以下では、高周波モジュール７００の構成のうち、高周波モジュール１００Ａの構成と異なる部分について説明し、高周波モジュール１００Ａの構成と同様の部分については適宜説明を省略する。
【００８０】
高周波モジュール１００Ａでは、送信制御ブロック２０ａが、ＳＰＤＴ３０及びカプラ５０を制御するものとした。しかしながら、高周波モジュール７００では、受信制御ブロック６０ａが、ＳＰＤＴ３０及びカプラ５０を制御してもよい。具体的には、受信制御ブロック６０ａは、ＬＮＡ６０ｂに制御信号Ｓ４を、ＳＰＤＴ３０に制御信号Ｓ５を、カプラ５０に制御信号Ｓ６を、それぞれ供給する。そして、ＬＮＡ６０ｂは制御信号Ｓ４に基づいて、ＳＰＤＴ３０は制御信号Ｓ５に基づいて、カプラ５０は制御信号Ｓ６に基づいて、それぞれ動作する。これにより、高周波モジュール７００では、受信信号の制御に同期して、ＳＰＤＴ３０及びカプラ５０の制御を行うこと可能となる。
【００８１】
以上、本発明に係る実施形態について説明した。本発明の一実施形態に係る高周波モジュールは、無線周波数信号を増幅してアンテナ端子側に送信信号を出力する送信信号増幅器と、アンテナ端子から供給された受信信号を増幅する受信信号増幅器と、アンテナ端子を送信信号増幅器及び受信信号増幅器のいずれかに選択的に接続させるスイッチと、送信信号増幅器及びアンテナ端子の間の送信信号経路上に設けられ、送信信号の信号レベルを検出する方向性結合器と、を備え、送信信号増幅器は、第１制御回路から供給される第１制御信号によって制御され、受信信号増幅器は、第２制御回路から供給される第２制御信号によって制御され、スイッチは、第１制御回路から供給されるスイッチ制御信号によって制御され、方向性結合器は、第１制御回路から供給される結合器制御信号によって制御される。
【００８２】
これにより、送信制御及び受信制御の切り替え時に時間遅れ少なく通信環境の良いアンテナの品質を検出できる状態に切り替えることが可能となる。
【００８３】
また、本発明の一実施形態に係る高周波モジュールでは、方向性結合器は、スイッチのアンテナ端子側に接続されてもよい。
【００８４】
これにより、アンテナ端子に近い側のインピーダンス整合を確認することが可能となる。
【００８５】
また、本発明の一実施形態に係る高周波モジュールでは、スイッチは、方向性結合器のアンテナ端子側に接続されてもよい。
【００８６】
これにより、方向性結合器によって送信信号増幅器の出力を直接検出することが可能となる。
【００８７】
また、本発明の一実施形態に係る高周波モジュールでは、スイッチは、複数のスイッチ素子により構成されてもよい。
【００８８】
これにより、高周波モジュールにおける回路レイアウトの自由度が向上する。
【００８９】
また、本発明の一実施形態に係る高周波モジュールでは、スイッチは、単一のスイッチ素子により構成されてもよい。
【００９０】
これにより、高周波モジュールの製造コストが低減され、組立性も向上する。
【００９１】
また、本発明の一実施形態に係る高周波モジュールでは、方向性結合器は、更に送信信号の反射波の信号レベルを検出する、双方向性結合器であってもよい。
【００９２】
これにより、送信信号の反射波の信号レベルを検出することが可能となる。
【００９３】
また、本発明の一実施形態に係る高周波モジュールでは、信号から所定の周波数帯域外の周波数成分を除去するバンドパスフィルタであって、送信信号経路上と、受信信号増幅器及びアンテナ端子の間の受信信号経路上との、少なくともいずれかに設けられたバンドパスフィルタを更に備えてもよい。
【００９４】
これにより、所望の周波数帯域の送信信号及び／又は受信信号を得ることが可能となる。
【００９５】
また、本発明の一実施形態に係る高周波モジュールでは、高周波モジュールを、信号から所定の周波数帯域外の周波数成分を除去する外付けのバンドパスフィルタに接続するための端子を備えてもよい。
【００９６】
これにより、より容易に所望の周波数帯域の送信信号及び／又は受信信号を得ることが可能となる。
【００９７】
また、本発明の一実施形態に係る高周波モジュールでは、送信信号増幅器のアンテナ端子とは反対側に接続された第２スイッチを更に備えてもよい。
【００９８】
これにより、複数の通信方式に応じて送信信号経路を切り替えることが可能となる。
【００９９】
また、本発明の一実施形態に係る高周波モジュールでは、受信信号増幅器のアンテナ端子とは反対側に接続された第３スイッチを更に備えてもよい。
【０１００】
これにより、複数の通信方式に応じて受信信号経路を切り替えることが可能となる。
【０１０１】
以上説明した各実施形態は、本発明の理解を容易にするためのものであり、本発明を限定して解釈するためのものではない。本発明は、その趣旨を逸脱することなく、変更又は改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素およびその配置、材料、条件、形状、サイズなどは、例示したものに限定されるわけではなく適宜変更することができる。また、各実施形態が備える各要素は、技術的に可能な限りにおいて組み合わせることができ、これらを組み合わせたものも本発明の特徴を含む限り本発明の範囲に包含される。
【符号の説明】
【０１０２】
１００Ａ〜Ｅ、２００、３００Ａ、Ｂ、４００、５００Ａ〜Ｅ、６００、７００…高周波モジュール、１０１、１０２、２０１、２０２、３０１、３０２、４０１、４０２、５０１、５０２、６０１、６０２…フロントエンド部、１０…増幅部、１０ａ〜ｄ…増幅器、２０…送信制御ＩＣ、２０ａ…送信制御ブロック、３０、３４、３５、８３、８４…ＳＰＤＴ、３１、３３、３８…ＤＰＤＴ、３２、８０…３ＰＤＴ、３６…ＳＰ３Ｔ、３７…ＤＰ３Ｔ、３９…ＤＰ４Ｔ、４０〜４２…ＢＰＦ、５０、５１…カプラ、６０…受信制御部、６０ａ…受信制御ブロック、６０ｂ、６０ｃ…ＬＮＡ、８１…ｎＰｎＴ、９０…デュプレクサ、１０００、２０００…ＲＦＩＣ
【図１Ａ】
2019176452.tif 000003
【図１Ｂ】
2019176452.tif 000004
【図１Ｃ】
2019176452.tif 000005
【図１Ｄ】
2019176452.tif 000006
【図１Ｅ】
2019176452.tif 000007
【図１Ｆ】
2019176452.tif 000008
【図２】
2019176452.tif 000009
【図３Ａ】
2019176452.tif 000010
【図３Ｂ】
2019176452.tif 000011
【図４】
2019176452.tif 000012
【図５Ａ】
2019176452.tif 000013
【図５Ｂ】
2019176452.tif 000014
【図５Ｃ】
2019176452.tif 000015
【図５Ｄ】
2019176452.tif 000016
【図５Ｅ】
2019176452.tif 000017
【図６】
2019176452.tif 000018
【図７】
2019176452.tif 000019